(57)【要約】【課題】  プリント処理されているプリントのサイズ及びそのプリントの現在の処理位置を把握することが出来る画像処理装置を提供する。【解決手段】  装置本体に、少なくとも画像が焼き付けられた印画紙を現像処理する現像処理部と、印画紙を搬送する搬送装置とを備えた画像処理装置において、搬送装置により搬送されている印画紙の装置本体内における位置を算出する位置算出機能部を有する制御装置と、この制御装置からの出力で、搬送されている印画紙の装置本体内における現在位置を表示するための表示部とを備え、制御装置には、更に表示部に表示される印画紙の表示態様をその印画紙のプリントサイズに応じて変更するための表示態様制御機能部と、搬送されている印画紙をオーダー毎に表示部に区画表示させる区画表示機能部を備えた。【選択図】  図３
2006065041.tif 000002
【特許請求の範囲】
【請求項１】
装置本体に、少なくとも画像が焼き付けられた感光材料を現像処理する現像処理部と、感光材料を搬送する搬送装置とを備えた写真処理装置において、
搬送装置により搬送されている感光材料の装置本体内における位置を算出する位置算出機能部を有する制御装置と、この制御装置からの出力で、搬送されている感光材料の装置本体内における現在位置を表示するための表示部とが備えられ、制御装置には、表示部に表示される感光材料の表示態様をその感光材料のプリントサイズに応じて変更するための表示態様制御機能部が備えられていることを特徴とする画像処理装置。
【請求項２】
表示部での表示態様の変更が、感光材料のプリントサイズに応じて色彩の変更により行なわれるようにしていることを特徴とする請求項１に記載の画像処理装置。
【請求項３】
表示部での表示態様の変更が、感光材料のプリントサイズに応じて形状の変更により行なわれるようにしていることを特徴とする請求項１に記載の画像処理装置。
【請求項４】
制御装置には、搬送されている感光材料をオーダー毎に表示部に区画表示させる区画表示機能部が備えられていることを特徴とする請求項１、２又は３に記載の画像処理装置。
【請求項５】
区画表示機能部は、各オーダーの最初または最後にプリント処理されるインデックスプリントに対応する表示を他の表示とは異なる表示態様として、搬送されている感光材料をオーダー毎に表示部に区画表示させるようにしていることを特徴とする請求項４に記載の画像処理装置。
【請求項６】
制御装置には、表示態様制御機能部により表示される表示部での表示態様を設定、変更するための表示態様設定・変更機能部が備えられていることを特徴とする請求項１、２，３，４又は５に記載の画像処理装置。
【発明の詳細な説明】
【技術分野】
【０００１】
本発明は、画像が焼き付けられた感光材料を現像処理する現像処理部を備えた画像処理装置装置に関する。
【背景技術】
【０００２】
一般にこの種の画像処理装置は、画像を印画紙に焼き付けるための焼付処理部と、焼付処理部で焼付け処理された印画紙を現像処理するための現像処理部と、現像された印画紙を乾燥処理するための乾燥処理部とが備えられ、焼き付け処理部で画像を印画紙に焼付けた後、その印画紙を現像処理部で現像し、続いて乾燥処理部で乾燥してプリントを仕上げるようにしているのであって、また、以上の画像処理装置には、各種構成機器の駆動を制御するためのマイクロコンピューターを中核とした制御装置と、この制御装置の入出力部に接続したディスプレイ装置およびキーボードとが搭載されており、例えば、焼付け・現像処理中の印画紙の現在位置をディスプレイ装置の画面上に表示するようにしている。
【０００３】
そして以上の画像処理装置において、現在処理されている印画紙の画像情報を簡単に確認することができるようにするために、従来では、搬送されている印画紙の装置本体内における位置を算出する位置算出機能部を有する制御装置を搭載して、この制御装置からの出力で、搬送されている印画紙の装置本体内における位置をディスプレイ装置の画面に表示するようにした画像処理装置が開発されている。（特許文献１参照）
ところで、以上の画像処理装置では、仕上げられたプリントを排出するプリント排出部の下流には、小さなサイズのプリントを受けるための搬出コンベヤと、大きなサイズのプリントを受けるための受皿とが備えられて、サービス版などの小さなサイズのプリントは、プリント排出部から搬出コンベヤ上に排出されて、仕分け装置に搬出される一方、大型のプリントは、プリント排出部から受皿上に排出するようにしているが、
プリントの排出に伴い、大型のプリントが受皿上に複数枚重ねられると、この受皿上から仕上がったプリントを取り出す際に、プリント同士が強く擦れるなどして、プリントの画像に傷が付くなどの不具合がある。
【０００４】
しかしながら、前記公報に示された画像処理装置では、処理中のプリントの現在処理位置を確認することができるにしても、処理されているプリントの大きさを確認することが出来ず、そのためオペレータは、前述の受皿上に複数枚のプリントが重なって収容されないように、プリント作業時、大型のプリントが排出される受皿を常に注意している必要があり、作業性が悪い。
【特許文献１】特開２００１−３０５６６８号公報
【発明の開示】
【発明が解決しようとする課題】
【０００５】
本発明は、以上の実情に鑑みて開発したものであって、目的とするところは、プリント処理されているプリントのサイズ及びそのプリントの現在の処理位置を把握することが出来る画像処理装置を提供することにある。
【課題を解決するための手段】
【０００６】
以上の目的を達成するために、請求項１に記載の発明は、装置本体に、少なくとも画像が焼き付けられた感光材料を現像処理する現像処理部と、感光材料を搬送する搬送装置とを備えた画像処理装置において、
搬送装置により搬送されている感光材料の装置本体内における位置を算出する位置算出機能部を有する制御装置と、この制御装置からの出力で、搬送されている感光材料の装置本体内における現在位置を表示するための表示部とが備えられ、制御装置には、表示部に表示される感光材料の表示態様をその感光材料のプリントサイズに応じて変更するための表示態様制御機能部が備えられていることを特徴とするものである。
【０００７】
また請求項２に記載の発明は、請求項１に記載の画像処理装置において、表示部での表示態様の変更が感光材料のプリントサイズに応じて色彩の変更により行なわれるようにしていることを特徴とするものである。
【０００８】
また請求項３に記載の発明は、請求項１に記載の画像処理装置において、表示部での表示態様の変更が感光材料のプリントサイズに応じて形状の変更により行なわれるようにしていることを特徴とするものである。
【０００９】
また請求項４に記載の発明は、請求項１、２又は３に記載の画像処理装置の制御装置には、搬送されている感光材料をオーダー毎に表示部に区画表示させる区画表示機能部が更に備えられていることを特徴とするものである。
【００１０】
また請求項５に記載の発明は、請求項４に記載の区画表示機能部が、各オーダーの最初または最後にプリント処理されるインデックスプリントに対応する表示を他の表示とは異なる表示態様として、搬送されている感光材料をオーダー毎に表示部に区画表示させるようにしていることを特徴とするものである。
【００１１】
また更に請求項６に記載の発明は、請求項１、２，３，４又は５に記載の画像処理装置の制御装置に、表示態様制御機能部により表示される表示部での表示態様を設定、変更するための表示態様設定・変更機能部を備えたことを特徴とするものである。
【発明の効果】
【００１２】
請求項１に記載の発明によれば、表示部を見るだけで処理中のプリントのサイズ及びそのプリントの現在の処理位置を把握することが出来、例えば、大判のプリントが受皿に複数枚重なって収容される前に、受皿から取り出すことが可能となって、プリントに不用意に傷が付くような事故を未然に防ぐことが出来る。
また請求項２又は３に記載の発明によれば、請求項１に記載の発明の効果に加え、表示部の表示態様が視覚的にわかり易い態様となり、プリントサイズなどの確認が行い易くなる。
【００１３】
また請求項４に記載の発明によれば、請求項１、２、または３に記載の発明の効果に加え、表示部を見るだけで、処理されているオーダー毎の処理状況をも簡単に確認することが出来て、例えば各オーダーの処理終了までの残り時間などを容易に推測することが出来る。
【００１４】
また請求項５に記載の発明によれば、請求項４に記載の発明の効果に加え、各オーダにおけるインデックスプリントのプリント位置が確認出来る。
【００１５】
更に請求項６に記載の発明によれば、請求項１、２、３、４または５に記載乃発明の効果に加え、表示部の表示を例えばオペレータの認識し易い態様に変更することが出来る。
【発明を実施するための最良の形態】
【００１６】
図１に示す画像処理装置は、装置本体１に、現像処理されたフィルムの画像を写真感光材料である印画紙Ｐに焼き付けるための焼付処理部２と、この焼付処理部２で画像が焼き付けられた印画紙Ｐを現像処理するための現像処理部３と、現像処理部３で現像処理された印画紙Ｐを乾燥するための乾燥処理部４と、乾燥処理された印画紙Ｐを排出するプリント排出部５と、これら各種構成機器を制御するための制御装置６とが備えられている。
【００１７】
また以上の画像処理装置には、印画紙Ｐを、焼付処理部２、現像処理部３、乾燥処理部４、プリント排出部５に順次搬送するために、駆動モータ（図示せず）を介して回転駆動する搬送ローラー対１１を備える搬送装置１０が搭載されている。
【００１８】
焼付処理部２には、現像処理済みのフィルムの各コマの画像をスキャニングするためのスキャナー２１、スキャナー２１で読み取った画像を表示したり、画像処理装置の処理状態などを表示するための画面２２ａを有するディスプレイ装置２２、ロール状に巻かれた印画紙Ｐが格納された2台のペーパーマガジン２３ａ・２３ｂ、搬送装置１０を介してペーパーマガジン２３ａ・２３ｂから引き出される印画紙Ｐを所定長さにカットするためのカッター２４、所定長さにカットされた印画紙に画像を露光するための露光部２５などが備えられている。
【００１９】
露光部２５は、ライン状の露光ヘッドが備えられ、この露光ヘッドにより、デジタル画像データに基づいて処理されたデジタル画像を、搬送装置１０により搬送中の印画紙Ｐに一定周期で１ラインずつデジタル露光するようにしている。
【００２０】
尚、デジタル露光の方式としては、ＰＬＺＴシャッター方式やレーザービーム方式、液晶シャッター方式、蛍光ビーム方式が知られており、仕様に応じて任意の方式を採択することが出来る。
【００２１】
現像処理部３は、仕切板でいくつかに仕切られた処理槽３１が備えられており、この処理槽３１内には、現像液、漂白・定着液、安定化液等の各種処理液がそれぞれ個別に貯留されている。
【００２２】
また各処理槽３１には、対応した処理ラックがそれぞれ装填されており、処理ラックには、搬送装置１０を構成する複数の搬送ローラー対１１が設けられ、この搬送ローラー対１１を介して印画紙Ｐが処理槽３１の各処理液を通過するようにしている。
【００２３】
乾燥処理部４は、ヒーター４１が備えられており、搬送ローラー対６１で印画紙Ｐを搬送させる間に印画紙Ｐをヒーター４１によって適宜乾燥するようにしている。そして、乾燥処理部４で乾燥された印画紙Ｐは、プリント排出部５に送られるのであって、このプリント排出部５には、プリントサイズによって排出口への経路を切り換える搬送経路切換装置（図示せず）と、小さなサイズのプリントを排出するための上部排出口５１と、大きなサイズのプリントを排出するための下部排出口５２とが備えられて、サービス版などの小さなサイズのプリントは、上部排出口５１から搬出コンベヤ５３上に排出されて、仕分け装置（図示せず）に送られる一方、大型のプリントは、下部排出口５２から受皿５４上に排出されるようにしている。
【００２４】
一方、制御装置６は、コンピューターから構成され、図２に示すように、そのプログラム上に、
画像処理装置の各種構成機器の動作を制御するための駆動制御機能部６１と、
ディスプレイ装置２２の画面２２ａに印画紙Ｐの処理工程に合わせた情報を表示するためのプリント情報表示機能部６２と、
プリント処理する画像及びプリントの情報等を処理するためのプリント情報処理管理機能部６３とが構築され、
この制御装置６には、各種情報などを入力するための入力操作部となるキーボード６ａ及びマウス６ｂが接続されている。
【００２５】
そして制御装置６のプリント情報処理管理機能部６３には、
搬送装置１０により搬送される各印画紙Ｐが、現像処理部３からプリント排出部５に至る間のどの位置を流れているかを算出する位置算出機能部６３ａと
後記の表示態様制御機能部６２ｂにより表示されるディスプレイ装置２２の画面２２ａでの表示態様を設定、変更するための表示態様設定・変更機能部６３ｂとが構築されている。
【００２６】
また制御装置８のプリント情報表示機能部６２には、
位置算出機能部６３ａによって得れた算出結果に基づいて各印画紙Ｐの位置をディスプレイ装置２２の画面２２ａに表示するための処理位置表示機能部６２ａと、
ディスプレイ装置２２の画面２２ａに表示される各印画紙Ｐの表示態様をその印画紙Ｐのプリントサイズに応じて変更するための表示態様制御機能部６２ｂと
搬送されている各印画紙Ｐをオーダー毎にディスプレイ装置２２の画面２２ａに区画表示させる区画表示機能部６２ｃとが構築されている。
【００２７】
そして位置算出機能部６３ａにより、搬送中の印画紙Ｐが現像処理部３からプリント排出部５におけるどの位置に来ているかを算出するにあたっては、焼付処理部２の露光部２５で画像が焼付けされた時刻がプリント情報処理管理機能部６３に記録されて、焼付けされた印画紙Ｐについて経過時間のカウントが開始され、制御装置６の駆動制御機能部６１で駆動制御されている搬送ローラー対１１の搬送スピードと焼付け後の経過時間に基づいて、前述の印画紙Ｐの画像焼付け後における搬送経路上の位置を算出するようにしている。
また、処理位置表示機能部６２ａは、図３に示すように、ディスプレイ装置２２の画面２２ａに装置本体１の外形Ｍをグラフィック表示するとともに、このグラフィック表示されている装置本体の外形Ｍに、現像処理部３からプリント排出部５に至る装置本体１内の印画紙Ｐの搬送経路Ｌと、この搬送経路Ｌに沿って搬送されるそれぞれの印画紙Ｐの現在位置、即ち位置算出機能部６３ａの算出結果に基づく前記印画紙Ｐの搬送経路Ｌ上の位置を示す丸形のオブジェクトＯＪとを表示するようにしている。
【００２８】
表示態様制御機能部６２ｂは、前述の処理位置表示機能部６２ａにより表示される印画紙Ｐの搬送経路Ｌ上の位置を示している丸形のオブジェクトＯＪの色彩を変更することで、その表示態様を変更するようにしているのであって、例えば搬出コンベヤ５３上に搬出されるサービスサイズの印画紙Ｐの位置を示すオブジェクトＯＪは、緑色で、また受皿５４に搬出される大判の印画紙Ｐの位置を示すオブジェクトＯＪは、黄色でそれぞれ表示するようにしている。
【００２９】
尚、前述の表示態様制御機能部６２ｂによる表示態様の変更を、色彩による変更に変えて、例えば丸形のオブジェクトＯＪを四角や三角などのようにその形状の変更により行なうようにしてもよい。
【００３０】
また図に示す区画表示機能部６２ｃは、各オーダーの最初または最後にプリント処理されるインデックスプリントに対応する表示を他の表示とは異なる表示態様にして、処理されている印画紙をオーダー毎にディスプレイ装置２２の画面２２ａに区画表示させるようにしている。
【００３１】
即ち実施形態の画像処理装置では、各オーダーの画像をすべて一枚のプリントに表示して成るインデックスプリントがオーダー毎に作成され、このインデックスプリントは、各オーダのプリント処理の最終にプリント処理されるようにし、前述の区画表示機能部８３ｃは、このインデックスプリントの位置を示すオブジェクトＯＪを例えば赤色などの特定の色で表示して、各オーダーの切れ目がわかるようにすることで、プリント処理されている印画紙をオーダー単位ごとにディスプレイ装置２２の画面２２ａに区画表示させるようにしている。
【００３２】
尚、区画表示機能部８３ｃによるオーダー単位の区画表示の方法としては、図４に概略的に示すように、ディスプレイ装置２２の画面２２ａに表示されるオブジェクトＯＪの形状をオーダー単位ごとに四角形や三角形に変更するようにして、搬送経路Ｌに沿って連続する同じ形状のオブジェクトを１オーダーとしてグループ分けするようにしてもよい。
【００３３】
また表示態様設定・変更機能部６２ｂは、オペレータにより、ディスプレイ装置２２の画面２２ａに表示されるオブジェクトの色を予め登録している色彩以外の任意の色に設定乃至変更するようにしている。
【００３４】
尚、表示態様制御機能部６２ｂまたは区画表示機能部６２ｃがオブジェクトの形状を変更するようにしている場合には、この表示態様制御機能部６２ｂにより、表示するオブジェクトの形状を任意作成するようにしてもよい。
【００３５】
以上の構造から成る画像処理装置は、先ずフィルムの画像をスキャナー２１で読み取って、その画像を任意補正した後、印画紙Ｐへの画像の焼付け処理および現像処理が順次行われるのであって、印画紙Ｐへの現像処理工程に入ると、プリント情報処理管理機能部６３における位置算出機能部６３ａにより算出される画像焼付け処理後の印画紙Ｐの位置に基づいて、プリント情報表示機能部６２の処理位置表示機能部６２ａにより、現像処理部３からプリント排出部５に至る間での現在の各印画紙Ｐの位置が、図３に示すようにディスプレイ装置２２の画面２２ａに表示されている搬送経路Ｌ中に丸形のオブジェクトＯＪで表示されると共に、そのオブジェクトＯＪは、各印画紙Ｐのプリントサイズに応じて、表示態様制御機能６２ｂによる制御で予め設定されている黄色や緑色などの色彩に表示され、また各オーダーの最終に処理されるインデックスプリントに対応するオブジェクトＯＪは、区画表示機能部６２ｃによる制御で同じく予め設定されている赤色に表示されるのである。
【００３６】
従って、オペレータが、例えば、プリント処理中の各オーダーの進行度を確認したい場合には、ディスプレイ装置２２の画面２２ａを見るだけで、インデックスプリントを示す赤色のオブジェクトＯＪの表示からオーダ毎の処理状況を直ちに確認することが出来るのである。
【００３７】
またディスプレイ装置２の画面２２ａ上に、印画紙Ｐが受皿５４に収容される大判であることを示す黄色に表示されたオブジェクトＯＪがあれば、そのオブジェクトＯＪが表示されている位置から、受皿５４に収容されるタイミングを判別することが出来、従って、受皿５４にこの大判のプリントが複数枚重なる前に、受皿から取り出すことが可能となって、完成したプリントに不用意に傷が付くような事故を未然に防ぐことが出来る。
【００３８】
尚、ディスプレイ装置２２の画面２２ａ上に表示されるオブジェクトＯＪの色彩を変更したい場合には、プリント処理の開始前に、表示態様設定・変更機能部６３ｂにより、ディスプレイ装置２２の画面２２ａに表示されるオブジェクトの色を予め登録している色彩以外の所望の色に設定乃至変更すればよく、これにより、オブジェクトＯＪが所望の色で表示されることとなる。
【００３９】
また、以上の画像処理装置では、ディスプレイ装置２２の画面２２ａを見るだけで、プリント処理されているオーダー毎の処理状況をも簡単に確認することが出来、各オーダーのプリントが終了するまでの残り時間などを知ることが可能となる。
【００４０】
以上の実施形態では、現像処理部３からプリント排出部５に至る間が、プリントを一列で搬送する一列搬送の画像処理装置に適用したが、例えば現像処理部３からプリント排出部５に至る間において、プリントを２列で搬送して、現像及び乾燥処理を施すようにした画像処理装置では、図５に概略的に示すように、2列搬送に対応した2列の搬送路Ｌ１・Ｌ２をディスプレイ装置２２の画面２２ａに表示すると共に、各搬送路Ｌ１・Ｌ２にそれぞれオブジェクトＯＪが表示されるようにするのが好ましい。
【００４１】
また、印画紙Ｐに焼き付ける画像は、現像処理されたフィルムの画像をスキャナー２１で読み取って得られた画像だけでなく、各種記録媒体に記録されている画像データや、インターネットなどのネットワークを通して受信された画像データから得られる画像でも良い。
【図面の簡単な説明】
【００４２】
【図１】本発明にかかる画像処理装置の説明図。
【図２】本発明にかかる画像処理装置の構成図。
【図３】本発明にかかる画像処理装置のディスプレイ装置の表示例を示す説明図
【図４】本発明にかかる画像処理装置のディスプレイ装置の別の表示例を示す説明図。
【図５】本発明にかかる画像処理装置のディスプレイ装置の別の表示例を示す説明図。
【符号の説明】
【００４３】
１      装置本体
２      焼付処理部
２２    ディスプレイ装置（表示部）
２２ａ  画面
３      現像処理部
４      乾燥処理部
５      プリント排出部
６      制御装置
６２ｂ  表示態様制御機能部
６２ｃ  区画表示機能部
６３ｂ  表示態様設定・変更機能部
【図１】
2006065041.tif 000003
【図２】
2006065041.tif 000004
【図３】
2006065041.tif 000005
【図４】
2006065041.tif 000006
【図５】
2006065041.tif 000007